(57)【特許請求の範囲】
【請求項１】
第１のトランスバーサルフィルタを含み、入力端子に出現する原受信テレビジョン信号から近接ゴーストを除去して、近接ゴースト除去したテレビジョン信号を出力する近接ゴースト除去手段と、
前記近接ゴースト除去したテレビジョン信号の振幅を拡大して、振幅拡大したテレビジョン信号を出力する信号拡大手段と、
第２のトランスバーサルフィルタを含み、前記振幅拡大したテレビジョン信号から非近接ゴーストを除去して、非近接ゴースト除去したテレビジョン信号を出力する非近接ゴースト除去手段と、
送信前のテレビジョン信号に挿入される無歪みの基準波形を保持する基準波形メモリと、
前記入力端子に出現する原受信テレビジョン信号に含まれる基準波形と前記基準波形メモリの出力する基準波形とに基づきゴーストを検出して、前記近接ゴースト除去手段の前記第１のトランスバーサルフィルタ及び前記非近接ゴースト除去手段の第２のトランスバーサルフィルタにそれぞれ第１及び第２のタップ利得を供給するゴースト検出手段と
を備えたことを特徴とするゴースト除去装置。
【請求項２】
前記近接ゴースト除去手段は、前記原受信テレビジョン信号を前記第１のトランスバーサルフィルタに通して擬似近接ゴースト成分を生成し、該擬似近接ゴースト成分と前記原受信テレビジョン信号とを合成して近接ゴーストを除去すること、を特徴とする請求項１に記載のゴースト除去装置。
【請求項３】
前記近接ゴースト除去手段は、
前記第１のトランスバーサルフィルタで構成され、前記原受信テレビジョン信号から前記第１のタップ利得に従って擬似近接ゴーストを生成する擬似近接ゴースト生成回路と、
前記原受信テレビジョン信号を遅延して、遅延した受信テレビジョン信号を出力する遅延回路と、
前記擬似近接ゴーストと前記遅延した受信テレビジョン信号とを加算することにより、前記原受信テレビジョン信号中の近接ゴーストを除去し、前記近接ゴースト除去したテレビジョン信号を出力する加算回路と
を備えた非巡回型の構成を有する請求項１に記載のゴースト除去装置。
【請求項４】
前記非近接ゴースト除去手段は、前記振幅拡大したテレビジョン信号を前記第２のトランスバーサルフィルタに通して擬似非近接ゴースト成分を生成し、該擬似非近接ゴースト成分と前記振幅拡大したテレビジョン信号とを合成して非近接ゴーストを除去すること、を特徴とする請求項１に記載のゴースト除去装置。
【請求項５】
前記非近接ゴースト除去手段は、
前記第２のトランスバーサルフィルタで構成され、前記非近接ゴースト除去したテレビジョン信号から前記第２のタップ利得に従って擬似非近接ゴーストを生成する擬似非近接ゴースト生成回路と、
前記擬似非近接ゴーストと前記振幅拡大したテレビジョン信号とを加算することにより、前記原受信テレビジョン信号中の非近接ゴーストを除去し、前記非近接ゴースト除去したテレビジョン信号を出力する加算回路と
を備えた巡回型の構成を有する請求項１に記載のゴースト除去装置。
【請求項６】
前記信号拡大手段は、前記近接ゴースト除去したテレビジョン信号に拡大率を乗算して、前記振幅拡大したテレビジョン信号を出力する乗算器から構成されている、請求項１乃至５のいずれか１つに記載のゴースト除去装置。
【請求項７】
前記信号拡大手段は、前記近接ゴースト除去したテレビジョン信号をビットシフトして、前記振幅拡大したテレビジョン信号を出力するビットシフト回路から構成されている、請求項１乃至５のいずれか１つに記載のゴースト除去装置。
【請求項８】
第１のトランスバーサルフィルタを含み、入力端子に出現する原受信テレビジョン信号から近接ゴーストを除去して、近接ゴースト除去したテレビジョン信号を出力する近接ゴースト除去手段と、
第２のトランスバーサルフィルタを含み、前記近接ゴースト除去したテレビジョン信号から非近接ゴーストを除去して、非近接ゴースト除去したテレビジョン信号を出力する非近接ゴースト除去手段と、
送信前のテレビジョン信号に挿入される無歪みの基準波形を保持する基準波形メモリと、
前記基準波形メモリの出力値を拡大して、拡大した基準波形を出力する基準波形拡大手段と、
前記入力端子に出現する原受信テレビジョン信号に含まれる基準波形と前記拡大した基準波形とに基づきゴーストを検出して、前記近接ゴースト除去手段の前記第１のトランスバーサルフィルタ及び前記非近接ゴースト除去手段の第２のトランスバーサルフィルタにそれぞれ第１及び第２のタップ利得を供給するゴースト検出手段と
を備えたことを特徴とするゴースト除去装置。
【請求項９】
前記近接ゴースト除去手段は、前記原受信テレビジョン信号を前記第１のトランスバーサルフィルタに通して擬似近接ゴースト成分を生成し、該擬似近接ゴースト成分と前記原受信テレビジョン信号とを合成して近接ゴーストを除去すること、を特徴とする請求項８に記載のゴースト除去装置。
【請求項１０】
前記近接ゴースト除去手段は、
前記第１のトランスバーサルフィルタで構成され、前記原受信テレビジョン信号から前記第１のタップ利得に従って擬似近接ゴーストを生成する擬似近接ゴースト生成回路と、
前記原受信テレビジョン信号を遅延して、遅延した受信テレビジョン信号を出力する遅延回路と、
前記擬似近接ゴーストと前記遅延した受信テレビジョン信号とを加算することにより、前記原受信テレビジョン信号中の近接ゴーストを除去し、前記近接ゴースト除去したテレビジョン信号を出力する加算回路と
を備えた非巡回型の構成を有する請求項８に記載のゴースト除去装置。
【請求項１１】
前記非近接ゴースト除去手段は、前記近接ゴースト除去したテレビジョン信号を前記第２のトランスバーサルフィルタに通して擬似非近接ゴースト成分を生成し、該擬似非近接ゴースト成分と前記近接ゴースト除去したテレビジョン信号とを合成して非近接ゴーストを除去すること、を特徴とする請求項８に記載のゴースト除去装置。
【請求項１２】
前記非近接ゴースト除去手段は、
前記第２のトランスバーサルフィルタで構成され、前記非近接ゴースト除去したテレビジョン信号から前記第２のタップ利得に従って擬似非近接ゴーストを生成する擬似非近接ゴースト生成回路と、
前記擬似非近接ゴーストと前記近接ゴースト除去したテレビジョン信号とを加算することにより、前記原受信テレビジョン信号中の非近接ゴーストを除去し、前記非近接ゴースト除去したテレビジョン信号を出力する加算回路と
を備えた巡回型の構成を有する請求項８に記載のゴースト除去装置。
【請求項１３】
前記基準波形拡大手段は、前記基準波形メモリの出力値に拡大率を乗算して、前記拡大した基準波形を出力する乗算器から構成されている、請求項８乃至１２のいずれか１つに記載のゴースト除去装置。
【請求項１４】
前記基準波形拡大手段は、前記基準波形メモリの出力値をビットシフトして、前記拡大した基準波形を出力するビットシフト回路から構成されている、請求項８乃至１２のいずれか１つに記載のゴースト除去装置。
【請求項１５】
第１のトランスバーサルフィルタを含み、入力端子に出現する原受信テレビジョン信号から近接ゴーストを除去して、近接ゴースト除去したテレビジョン信号を出力する近接ゴースト除去手段と、
第２のトランスバーサルフィルタを含み、前記近接ゴースト除去したテレビジョン信号から非近接ゴーストを除去して、非近接ゴースト除去したテレビジョン信号を出力する非近接ゴースト除去手段と、
送信前のテレビジョン信号に挿入される無歪みの基準波形の振幅を拡大した基準波形を保持する基準波形メモリと、
前記入力端子に出現する原受信テレビジョン信号に含まれる基準波形と前記拡大した基準波形とに基づきゴーストを検出して、前記近接ゴースト除去手段の前記第１のトランスバーサルフィルタ及び前記非近接ゴースト除去手段の前記第２のトランスバーサルフィルタにそれぞれ第１及び第２のタップ利得を供給するゴースト検出手段と
を備えたことを特徴とするゴースト除去装置。
【発明の詳細な説明】
【０００１】
【発明の属する技術分野】
本発明は、テレビジョン受像機等の受信装置内に設置されるゴースト除去装置に関するものである。
【０００２】
【従来の技術】
テレビジョン受像機に受信されるビデオ信号には、アンテナに直接受信される信号成分（希望波と呼ばれる）の他に、付近の樹木や建造物あるいは車両などの移動体による種々の反射経路を経て多少遅れて受信される信号成分（反射波と呼ばれる）も含まれる。従って、程度の差は別として一般に受信画面内には多重の像が出現する。この受信画面内に多重の像を出現させる信号成分は「ゴースト」と称され、この多重の像が目障りになるほど大きくなって画質が劣化する現象はゴースト障害と称される。
【０００３】
このようなゴーストの除去装置は、擬似ゴースト生成用のトランスバーサルフィルタと、ゴーストの発生状況を検出し上記トランスバーサルフィルタのタップ利得を制御するタップ利得制御回路と、信号合成回路とから構成される。このトランスバーサルフィルタは、信号の遅延、減衰及び相互加算という多重反射に基づくゴースト発生のメカニズムを、縦列接続される遅延回路群と係数回路群と加算回路とによって模擬することにより、擬似ゴーストを生成する。この擬似ゴーストは、通常、逆極性で生成され、信号合成回路において原受信テレビジョン信号と加算され、これに含まれるゴースト成分と相殺される。
【０００４】
一般に、ゴーストは受信チャンネルの切り替えに伴う受信電波の波長の変化や、付近を通過、航行する車両、船舶、航空機などの移動体の往来状況の変化など種々の要因により時々刻々変化する。従って、トランスバーサルフィルタのタップ利得は、常に最適値となるように時々刻々適応制御される。この適応制御のため、送信側においてゴースト発生状況を検出するための基準波形がテレビジョン信号中に挿入される。また、受信側のタップ利得制御回路は、受信テレビジョン信号から抽出した基準波形の歪みの分析結果からゴーストの発生状況を検出することによって最適タップ利得を生成し、トランスバーサルフィルタに供給する。
【０００５】
上述のゴーストは、原信号に対する近接の度合に応じて近接ゴーストと非近接ゴーストとに大別される。すなわち、図４に示すように、ゴーストが存在しないとした場合の原信号を点線のような波形Ａとした場合、近接ゴーストは実線部分αで例示される波形歪みを生じさせ、非近接ゴーストは実線部分βで例示される波形歪みを生じさせる。
【０００６】
非近接ゴーストは時間軸上で原信号から離れて出現すると共に、多重反射に伴い親ゴースト、子ゴースト、孫ゴーストという具合に次第に減衰しながら所定時間間隔で繰り返し出現する傾向にある。従って、この非近接ゴーストの除去に際しては、受信テレビジョン信号から生成した擬似ゴーストと原受信テレビジョン信号とに巡回型の合成を行わせることが望ましい。一方、近接ゴーストは原信号と時間軸上で重なるために、生成される近接擬似ゴーストには原信号に先行する部分も出現する。従って、生成擬似ゴーストと原信号とに巡回型の合成は適用できない。また、近接ゴーストに関してはゴーストに起因する波形歪みと伝送特性に起因する波形歪みとが一体不可分に生じており、近接ゴーストの除去は波形等化の一種であるとも考えられる。
【０００７】
このため、近接ゴーストと非近接ゴーストの除去は、通常、一つの除去装置によってではなく専用の除去装置を縦列に接続することにより、まず近接ゴーストを除去し、次に非近接ゴーストを除去するという具合に２段階に分けて行われる。すなわち、図５に示されるように、非巡回型で接続された第１のトランスバーサルフィルタによる近接ゴースト除去部１０と、巡回型で接続された第２のトランスバーサルフィルタによる非近接ゴースト除去部２０との縦列接続により構成される。
【０００８】
図５を参照して、従来のゴースト除去装置について説明する。図示のゴースト除去装置は、入力信号である受信テレビジョン信号が入力される入力端子１と、ゴースト除去したテレビジョン信号を出力信号として出力する出力端子２とを持つ。図示のゴースト除去装置は、近接ゴースト除去部１０と、非近接ゴースト除去部２０と、ゴースト検出部４０と、基準信号波形メモリ５０とで構成されている。
【０００９】
入力端子１には、ゴースト除去対象の受信テレビジョン信号が供給される。ゴースト検出部４０は、後述する基準波形に基づき入力端子１に出現中の原受信テレビジョン信号に含まれる近接ゴーストを検出し、最適の擬似近接ゴーストを生成するための第１のタップ利得を生成し、これを近接ゴースト除去部１０に供給する。上記ゴースト検出部４０はまた、近接ゴーストの検出開始と同時に、基準波形に基づき入力端子１に出現中の原受信テレビジョン信号に含まれる非近接ゴーストを検出し、最適の擬似非近接ゴーストを生成するための第２のタップ利得を生成し、これを非近接ゴースト除去部２０に供給する。
【００１０】
近接ゴースト除去部１０は、第１のトランスバーサルフィルタで構成される擬似近接ゴースト生成回路１１と、遅延回路１２と、加算回路１３とを備えた非巡回型の構成となっている。擬似近接ゴースト生成回路１１は、ゴースト検出部４０から供給される第１のタップ利得に従って擬似近接ゴーストを生成し、加算回路１３の一方の入力端子に供給する。加算回路１３は、一方の入力端子に供給される擬似近接ゴーストと、遅延回路１２を経て他方の入力端子に供給される原受信テレビジョン信号を加算することにより受信テレビジョン信号中の近接ゴーストを除去し、近接ゴースト除去したテレビジョン信号を非近接ゴースト除去部２０に供給する。
【００１１】
非近接ゴースト除去部２０は、第２のトランスバーサルフィルタで構成される擬似非近接ゴースト生成回路２１と、加算回路２２とを備えた巡回型の構成となっている。擬似非近接ゴースト生成回路２１は、ゴースト検出部４０から供給される第２のタップ利得に従って擬似非近接ゴーストを生成し、加算回路２２の一方の入力端子に供給する。加算回路２２は、一方の入力端子に供給される擬似非近接ゴーストと、前段の近接ゴースト除去部１０から供給される、近接ゴーストの除去が行われた原受信テレビジョン信号を加算することにより受信テレビジョン信号中の非近接ゴーストを除去し、非近接ゴースト除去したテレビジョン信号を出力信号として出力端子２に供給する。
【００１２】
ゴースト検出部４０は、入力端子１に出現中の原受信テレビジョン信号に含まれる基準波形と、基準信号波形メモリ５０に予め記憶されている無歪みの基準波形とに基づき、近接および非近接のゴーストを検出する。ゴーストを検出する手法については、その一例として特許第２５２５４４８号に記載されている。
【００１３】
一般に、ゴースト障害を受けた信号の振幅は、ゴースト障害を受けていない信号と比較してその振幅が異なっている。特に送信アンテナから受信アンテナに直接受信される希望波と、反射経路を経て受信されるゴースト波の時間差（遅延時間）が少ない近接ゴーストの場合、映像検波回路でのＡＧＣ（自動利得制御）回路が応答しない。これはＡＧＣ回路が水平同期信号の周期の数倍から数十倍の時間で応答するように設定されているためによる。近接ゴーストでも特にゴースト波の位相が希望波の位相に比べて反転している場合、受信波形においては最大振幅がゴースト障害を受けていない信号よりも大きくなってしまう。図４で示した波形の場合、ゴーストが存在しないとした場合の原信号である点線の波形Ａに対して、実線部分αで例示される近接ゴーストの分、振幅が増加している。希望波に対してゴースト波が−６ｄＢの大きさまでゴースト除去が行えるゴースト除去装置では、ゴースト障害を受けていない信号を基準として、振幅が上下１／２ずつ大きくなった信号を処理できるよう、ゴースト除去装置全体の利得が設定されている。
【００１４】
【発明が解決しようとする課題】
前述のように、図５に示す従来のゴースト除去装置では、ゴーストによる信号振幅の増加分を予め見込んだ利得設定としている。しかしながら、擬似ゴースト生成用のトランスバーサルフィルタや、この擬似ゴーストと原テレビジョン信号を加算する信号合成回路は、定められたビット数で処理されるので、このビット数とゴースト除去装置の利得設定によって、信号振幅の最大出力と最小分解能が制限されてしまう。つまり、振幅の大きな信号からゴーストを除去しようとすれば、分解能が劣り、残留ゴーストが増加し、逆に残留ゴーストを減らそうと分解能を向上させると、振幅の大きな信号に対応できない。従って、信号振幅の最大出力を一定としたままで、残留ゴーストが十分小さくなる分解能にしようとすれば、ビット数を増やさなければならず、ハードウェア規模が増大するという欠点があった。
【００１５】
【課題を解決するための手段】
上記課題を解決するために、本発明の第１の態様によるゴースト除去装置は、第１のトランスバーサルフィルタを含み、入力端子に出現する原受信テレビジョン信号から近接ゴーストを除去して、近接ゴースト除去したテレビジョン信号を出力する近接ゴースト除去手段と、近接ゴースト除去したテレビジョン信号の振幅を拡大して、振幅拡大したテレビジョン信号を出力する信号拡大手段と、第２のトランスバーサルフィルタを含み、振幅拡大したテレビジョン信号から非近接ゴーストを除去して、非近接ゴースト除去したテレビジョン信号を出力する非近接ゴースト除去手段と、送信前のテレビジョン信号に挿入される無歪みの基準波形を保持する基準波形メモリと、入力端子に出現する原受信テレビジョン信号に含まれる基準波形と基準波形メモリの出力する基準波形とに基づきゴーストを検出して、近接ゴースト除去手段の第１のトランスバーサルフィルタ及び非近接ゴースト除去手段の第２のトランスバーサルフィルタにそれぞれ第１及び第２のタップ利得を供給するゴースト検出手段とを備えたものである。
【００１６】
本発明の第２の態様によるゴースト除去装置は、第１のトランスバーサルフィルタを含み、入力端子に出現する原受信テレビジョン信号から近接ゴーストを除去して、近接ゴースト除去したテレビジョン信号を出力する近接ゴースト除去手段と、第２のトランスバーサルフィルタを含み、近接ゴースト除去したテレビジョン信号から非近接ゴーストを除去して、非近接ゴースト除去したテレビジョン信号を出力する非近接ゴースト除去手段と、送信前のテレビジョン信号に挿入される無歪みの基準波形を保持する基準波形メモリと、基準波形メモリの出力値を拡大して、拡大した基準波形を出力する基準波形拡大手段と、入力端子に出現する原受信テレビジョン信号に含まれる基準波形と拡大した基準波形とに基づきゴーストを検出して、近接ゴースト除去手段の第１のトランスバーサルフィルタ及び非近接ゴースト除去手段の第２のトランスバーサルフィルタにそれぞれ第１及び第２のタップ利得を供給するゴースト検出手段とを備えたものである。
【００１７】
尚、上記第２の態様によるゴースト除去装置において、基準波形メモリに保持する値の振幅を予め大きくして保持しておくことにより基準波形拡大手段を不要としても良い。
【００１８】
【作用】
残留ゴーストのレベルの評価は、ゴースト信号の評価と同様にして行うことが可能である。ゴースト信号の客観的な評価尺度としては、ＰＤＵＲ（基本評価ＤＵ比）が用いられる。ＰＤＵＲは、希望波とゴースト波との高周波レベル比（ＤＵ比）、両者の位相差、ゴースト波の遅延時間及びゴースト波の数の物理量から計算されるもので、テレビ画像を主観的に評価した値とよく一致していることが知られている。ＰＤＵＲの定義から、ゴーストは同一ＤＵ比でも遅延時間によって目立ち方が異なり、遅延時間の短い近接ゴーストは目立ちにくく、遅延時間の長いゴーストは目立ちやすい。このことを残留ゴーストに当てはめた場合、近接ゴーストに比べて非近接ゴーストの残留ゴーストの方が目立ちやすく、従って、非近接ゴースト除去では、より残留ゴーストを少なくするように分解能の向上が要求される。逆に、近接ゴースト除去では、分解能の向上がそれ程重要でないとも言える。
【００１９】
一方、ゴースト障害による信号振幅の増加は、図４を用いて前述したように、近接ゴーストによって発生する。近接ゴースト除去と非近接ゴースト除去が縦続接続されたゴースト除去装置では、初めに近接ゴースト除去が行われることで、信号振幅が正規の振幅に等価され、続いて非近接ゴーストの除去が行われる。従って、ゴーストによる信号振幅の増加に対応しなければならないのは近接ゴースト除去であり、非近接ゴースト除去においては、正規の信号振幅を扱える構成でよい。
【００２０】
本発明においては、近接ゴースト除去の出力信号の振幅を拡大することにより、後段に接続されている非近接ゴースト除去における分解能を向上させ、残留ゴーストの低減を図っている。
【００２１】
【発明の実施の形態】
以下、図面を参照して、本発明の実施の形態について説明する。
【００２２】
図１は、本発明の一実施の形態に係わるゴースト除去装置の構成を示すブロック図である。図示のゴースト除去装置は、入力信号である受信テレビジョン信号が入力される入力端子１と、ゴースト除去したテレビジョン信号を出力信号として出力する出力端子２とを持つ。
【００２３】
図示のゴースト除去装置は、近接ゴースト除去部１０と、非近接ゴースト除去部２０と、信号拡大手段３０と、ゴースト検出部４０と、基準信号波形メモリ５０とで構成されている。すなわち、図示のゴースト除去装置は、図５に示した従来のゴースト除去回路に対して、近接ゴースト除去部１０と非近接ゴースト除去部２０との間に信号拡大手段３０を付加した構成を有する。
【００２４】
入力端子１には、ゴースト除去対象の受信テレビジョン信号が供給される。ゴースト検出部４０は、後述する基準波形に基づき入力端子１に出現中の原受信テレビジョン信号に含まれる近接ゴーストを検出し、最適の擬似近接ゴーストを生成するための第１のタップ利得を生成し、これを近接ゴースト除去部１０に供給する。上記ゴースト検出部４０はまた、近接ゴーストの検出開始と同時に、基準波形に基づき入力端子１に出現中の原受信テレビジョン信号に含まれる非近接ゴーストを検出し、最適の擬似非近接ゴーストを生成するための第２のタップ利得を生成し、これを非近接ゴースト除去部２０に供給する。
【００２５】
近接ゴースト除去部１０は、第１のトランスバーサルフィルタで構成される擬似近接ゴースト生成回路１１と、遅延回路１２と、加算回路１３とを備えた非巡回型の構成となっている。擬似近接ゴースト生成回路１１は、ゴースト検出部４０から供給される第１のタップ利得に従って擬似近接ゴーストを生成し、加算回路１３の一方の入力端子に供給する。加算回路１３は、一方の入力端子に供給される擬似近接ゴーストと、遅延回路１２を経て他方の入力端子に供給される原受信テレビジョン信号を加算することにより受信テレビジョン信号中の近接ゴーストを除去し、近接ゴースト除去したテレビジョン信号を信号拡大手段３０に供給する。
【００２６】
非近接ゴースト除去部２０は、第２のトランスバーサルフィルタで構成される擬似非近接ゴースト生成回路２１と、加算回路２２とを備えた巡回型の構成となっている。擬似非近接ゴースト生成回路２１は、ゴースト検出部４０から供給される第２のタップ利得に従って擬似非近接ゴーストを生成し、加算回路２２の一方の入力端子に供給する。加算回路２２は、一方の入力端子に供給される擬似非近接ゴーストと、前段の信号拡大手段３０から供給される、近接ゴーストの除去および信号振幅の拡大が行われた原受信テレビジョン信号を加算することにより受信テレビジョン信号中の非近接ゴーストを除去し、非近接ゴースト除去したテレビジョン信号を出力信号として出力端子２に供給する。
【００２７】
信号拡大手段３０は、前段の近接ゴースト除去手段１０から供給される、近接ゴーストの除去が行われた原受信テレビジョン信号の信号振幅を拡大する。信号振幅の拡大は、乗算器を使用した任意倍率の拡大でも良いし、ビットシフトによる固定倍率の拡大でも良い。信号拡大手段３０に入力される信号は、前段の近接ゴースト除去部１０により近接ゴーストの除去、すなわちゴースト障害による信号振幅の増加が取り除かれた信号であるから、後段の非近接ゴースト除去で処理されるテレビジョン信号の最大振幅は、ゴースト障害による信号振幅の増加のない信号として考えればよい。
【００２８】
ゴースト検出部４０は、入力端子１に出現中の原受信テレビジョン信号に含まれる基準波形と、基準信号波形メモリ５０に予め記憶されている無歪みの基準波形とに基づき、近接および非近接のゴーストを検出する。ゴーストを検出する手法については、その一例として特許第２５２５４４８号に記載されている。
【００２９】
図２を参照すると、信号拡大手段３０は、前述したように、１つの乗算器３１で構成することができる。乗算器３１は、入力信号に対して任意の倍率で信号振幅を拡大することが可能である。
【００３０】
図３は本発明の他の実施の形態に係るゴースト除去装置の構成を示すブロック図である。入力信号である受信テレビジョン信号が入力される入力端子１と、ゴースト除去したテレビジョン信号を出力信号として出力する出力端子２とを持つ。
【００３１】
図示のゴースト除去装置は、近接ゴースト除去部１０、非近接ゴースト除去部２０、ゴースト検出部４０、基準信号波形メモリ５０、及び基準波形拡大手段６０から構成されている。すなわち、図示のゴースト除去装置は、図５に示した従来のゴースト除去回路に対して、基準信号波形メモリ５０とゴースト検出手段４０との間に基準波形拡大手段６０が付加された構成を有する。
【００３２】
図３において、近接ゴースト除去部１０、非近接ゴースト除去部２０、ゴースト検出部４０、及び基準波形メモリ５０は、図１に図示したゴースト除去装置における同じ符号のそれぞれと構成も機能も同一であるので、これらについては重複する説明を省略する。
【００３３】
入力端子１には、ゴースト除去対象の原受信テレビジョン信号が供給される。ゴースト検出部４０は、入力端子１に出現中の原受信テレビジョン信号に含まれる基準波形と、基準信号波形メモリ５０に予め記憶されている無歪みの基準波形が基準波形拡大手段６０により振幅を拡大された基準波形とに基づき近接ゴーストを検出し、最適の擬似近接ゴーストを生成するための第１のタップ利得を生成し、これを近接ゴースト除去部１０に供給する。上記ゴースト検出部４０はまた、近接ゴーストの検出開始と同時に、入力端子１に出現中の原受信テレビジョン信号に含まれる基準波形に基づき非近接ゴーストを検出し、最適の擬似非近接ゴーストを生成するための第２のタップ利得を生成し、これを非近接ゴースト除去部２０に供給する。
【００３４】
基準波形拡大手段６０によって拡大された基準信号を基にゴーストの検出を行うことで、拡大した基準信号に等価されるので、近接ゴースト除去部１０の出力する信号の振幅が拡大することとなる。この信号を後段の非近接ゴースト除去部２０に供給することで、前記実施の形態に係る図１にある信号拡大手段３０を用いずとも同様の効果を得ることができる。尚、基準波形拡大手段６０は、信号拡大手段３０と同様の構成で実現できる。
【００３５】
尚、本発明は、上述した実施の形態に限定されず、本発明の要旨を脱逸脱しない範囲内で種々の変更が可能なのはいうまでもない。例えば、上記第２の実施の形態では、基準波形拡大手段６０は、基準信号波形メモリ５０より供給される基準波形の振幅を拡大してゴースト検出部４０に供給しているが、基準信号波形メモリ５０に記憶されている値は固定値であるため、予め振幅を拡大した値を基準信号波形メモリ５０に記憶しておくことで、基準波形拡大手段６０を必要としない構成も可能であることは明らかである。
【００３６】
【発明の効果】
以上説明したように、本発明のゴースト除去装置は、近接ゴースト除去の出力信号の振幅を拡大し、後段に接続されている非近接ゴースト除去における分解能を向上させる構成であるから、ゴースト除去可能な受信テレビジョン信号の最大振幅に関して劣化させることなく残留ゴーストが低減するという効果がある。
【図面の簡単な説明】
【図１】本発明の一実施の形態に係るゴースト除去装置の構成を示すブロック図である。
【図２】図１のゴースト除去装置に使用される信号拡大手段の一構成例を示す回路図である。
【図３】本発明の他の実施の形態に係るゴースト除去装置の構成を示すブロック図である。
【図４】近接ゴーストと非近接ゴーストの概念を説明するための波形図である。
【図５】従来のゴースト除去装置の構成を示すブロック図である。
【符号の説明】
１０……近接ゴースト除去部
１１……擬似近接ゴースト生成回路
１２……遅延回路
１３……加算回路
２０……非近接ゴースト除去部
２１……擬似非近接ゴースト生成回路
２２……加算回路
３０……信号拡大手段
４０……ゴースト検出部
５０……基準信号波形メモリ
６０……基準波形拡大手段
【図１】
0003549749.tif 000002
【図２】
0003549749.tif 000003
【図３】
0003549749.tif 000004
【図４】
0003549749.tif 000005
【図５】
0003549749.tif 000006